(57)【特許請求の範囲】
【請求項１】
テレビ放送の映像を表示する表示部と、
テレビ放送の映像を表示中に、チャンネル変更に対応する第１の入力操作を検出し、当該第１の入力操作を検出してから所定時間経過するまでにさらに当該チャンネル変更に対応する第２の入力操作を検出した場合に、当該テレビ放送の映像の表示を継続しつつ、前記第１の入力操作及び前記第２の入力操作をそれぞれ文字入力操作として扱う制御部と、を備えることを特徴とする入力装置。
【請求項２】
テレビ放送の映像を表示する表示部と、
テレビ放送の映像を表示中に、チャンネル変更に対応する入力操作を検出し、当該入力操作を検出したことにより当該チャンネル変更処理を開始し、当該チャンネル変更処理中にさらに当該チャンネル変更に対応する入力操作を検出した場合、当該テレビ放送の映像の表示を継続し、且つ当該入力操作に応じた文字入力を行う制御部と、を備えることを特徴とする文字入力装置。
【請求項３】
前記制御部は、文字入力中も、文字入力が開始される直前のチャンネルのテレビ放送を前記表示部に表示させることを特徴とする請求項２に記載の文字入力装置。
【請求項４】
前記制御部は、前記テレビ放送の映像と、文字入力の入力画面とを一緒に前記表示部に表示させることを特徴とする請求項２または３に記載の文字入力装置。
【請求項５】
前記制御部は、再生中の前記映像の文字情報を読み取り、読み取った前記文字情報を文字入力の入力画面に入力させることを特徴とする請求項２から４のいずれか１項に記載の文字入力装置。
【請求項６】
前記制御部は、前記入力画面に所定のキーワードが入力された場合には、キーワードに対応する動作を実行することを特徴とする請求項４または５に記載の文字入力装置。
【請求項７】
テレビ放送の映像を表示中に、チャンネル変更に対応する第１の入力操作を検出する第１ステップと、
前記第１の入力操作を検出してから所定時間経過するまでにさらに当該チャンネル変更に対応する第２の入力操作を検出する第２ステップと、
当該テレビ放送の映像の表示を継続しつつ、前記第１の入力操作を文字入力として扱った後に前記第２の入力操作を文字入力として扱う第３ステップと、を含むことを特徴とする入力装置による入力方法。
【発明の詳細な説明】
【技術分野】
【０００１】
本発明は、操作者の操作に基づいて文字を入力する入力装置、文字入力装置及び入力方法に関する。
【背景技術】
【０００２】
文字入力装置として、文字列を入力する入力部と、入力された文字列の変換候補を表示する表示部と、を備えたものがある。また、特許文献１には、テレビジョン受信装置を操作するリモコンのボタンを押下することで、文字入力を行うシステムが記載されている。
【先行技術文献】
【特許文献】
【０００３】
【特許文献１】特開２００２−１９９２４４号公報
【発明の概要】
【発明が解決しようとする課題】
【０００４】
ここで、テレビ番組を視聴している場合でも、テレビ番組の内容をメモするため、漢字を調べるため等を目的として、文字の入力が必要となる場合がある。しかしながら、特許文献１に記載の装置では、メールボタンを押下して、モードを切り替える必要があり、操作が煩雑となる。
【０００５】
本発明は、上記に鑑みてなされたものであって、テレビ放送の受信中であっても簡単な操作で文字入力をすることができる入力装置、文字入力装置及び入力方法を提供することを目的とする。
【課題を解決するための手段】
【０００６】
上述した課題を解決し、目的を達成するために、本発明は、テレビ放送の映像を表示する表示部と、テレビ放送の映像を表示中に、チャンネル変更に対応する第１の入力操作を検出し、当該第１の入力操作を検出してから所定時間経過するまでにさらに当該チャンネル変更に対応する第２の入力操作を検出した場合に、当該テレビ放送の映像の表示を継続しつつ、前記第１の入力操作及び前記第２の入力操作をそれぞれ文字入力操作として扱う制御部と、を備えることを特徴とする。
【０００７】
上述した課題を解決し、目的を達成するために、本発明は、テレビ放送の映像を表示する表示部と、テレビ放送の映像を表示中に、チャンネル変更に対応する入力操作を検出し、当該入力操作を検出したことにより当該チャンネル変更処理を開始し、当該チャンネル変更処理中にさらに当該チャンネル変更に対応する入力操作を検出した場合、当該テレビ放送の映像の表示を継続し、且つ当該入力操作に応じた文字入力を行う制御部と、を備えることを特徴とする。
【００１０】
また、前記制御部は、文字入力中も、文字入力が開始される直前のチャンネルのテレビ放送を前記表示部に表示させることが好ましい。
【００１１】
また、前記制御部は、前記テレビ放送の映像と、文字入力の入力画面とを一緒に前記表示部に表示させることが好ましい。
【００１２】
また、前記制御部は、再生中の前記映像の文字情報を読み取り、読み取った前記文字情報を文字入力の入力画面に入力させることが好ましい。
【００１３】
また、前記制御部は、前記入力画面に所定のキーワードが入力された場合には、キーワードに対応する動作を実行することが好ましい。
【００１４】
上述した課題を解決し、目的を達成するために、入力装置による入力方法は、テレビ放送の映像を表示中に、チャンネル変更に対応する第１の入力操作を検出する第１ステップと、前記第１の入力操作を検出してから所定時間経過するまでにさらに当該チャンネル変更に対応する第２の入力操作を検出する第２ステップと、当該テレビ放送の映像の表示を継続しつつ、前記第１の入力操作を文字入力として扱った後に前記第２の入力操作を文字入力として扱う第３ステップと、を含むことを特徴とする。
【発明の効果】
【００１５】
本発明にかかる入力装置、文字入力装置及び入力方法は、テレビ放送の受信中であっても、簡単な操作で文字を入力、表示させることができ、操作性を高くすることができるという効果を奏する。
【図面の簡単な説明】
【００１６】
【図１】図１は、本発明の文字入力装置の一例である携帯電子機器の一実施形態の概略構成を示す正面図である。
【図２】図２は、図１に示す携帯電子機器の側面図である。
【図３】図３は、図１に示す携帯電子機器の機能の概略構成を示すブロック図である。
【図４】図４は、携帯電子機器の処理動作の一例を示すフロー図である。
【図５】図５は、携帯電子機器の動作を説明するための説明図である。
【図６】図６は、携帯電子機器の処理動作の他の例を示すフロー図である。
【図７】図７は、携帯電子機器の処理動作の他の例を示すフロー図である。
【図８】図８は、携帯電子機器の動作を説明するための説明図である。
【図９】図９は、携帯電子機器の処理動作の他の例を示すフロー図である。
【図１０】図１０は、携帯電子機器の処理動作の他の例を示すフロー図である。
【図１１】図１１は、携帯電子機器の動作を説明するための説明図である。
【図１２】図１２は、携帯電子機器の処理動作の他の例を示すフロー図である。
【図１３】図１３は、携帯電子機器の動作を説明するための説明図である。
【発明を実施するための形態】
【００１７】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、文字入力装置の一例である携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ゲーム機等に対しても本発明は適用できる。また、以下に示す実施形態では、放送波として、携帯電話・移動体端末向けの１セグメント部分受信サービス、いわゆるワンセグ放送を受信する場合として説明するが、放送波はこれに限定されない。放送波としては、例えば、１２セグメントの地上デジタル放送や、アナログ放送、デジタルラジオ放送の場合にも用いることができる。
【００１８】
図１は、本発明の文字入力装置の一例である携帯電子機器の一実施形態の概略構成を示す正面図である。図２は、図１に示す携帯電子機器の側面図である。まず、携帯電子機器の構成を説明する。携帯電子機器１は、無線通信機能を備えた携帯電話機である。携帯電子機器１は、筐体１Ｃが第１筐体１ＣＡと第２筐体１ＣＢと第３筐体１ＣＣとで開閉可能かつ回動可能に構成された、サイクロイド式の携帯電話機である。なお、図１、図２は、携帯電子機器１を開いて、かつ回動させていない状態である。また、本実施形態では、筐体をサイクロイド式の筐体としたが、筐体の形状は特に限定されず、折りたたみ式、スライド式、一本型等、種々の形状とすることができる。
【００１９】
第１筐体１ＣＡには、表示部として、図１に示すメインディスプレイ２Ｍが設けられる。メインディスプレイ２Ｍは、所定の画像として、携帯電子機器１が受信を待機している状態のときに待ち受け画像を表示したり、携帯電子機器１の操作を補助するために用いられるメニュー画像を表示したりする。また、図１に示すように、第１筐体１ＣＡには、携帯電子機器１の通話時に音声を発するレシーバ６が設けられている。
【００２０】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。なお、操作キー３及び方向及び決定キー４は、携帯電子機器１の操作部２８（図３参照）を構成する。また、第２筐体１ＣＢには、携帯電子機器１の通話時に音声を受け取るマイク５が設けられる。
【００２１】
また、第１筐体１ＣＡと第２筐体１ＣＢとは、第３筐体１ＣＣで連結されている。第３筐体１ＣＣは、第２筐体１ＣＢと開閉可能な状態で連結され、第１筐体１ＣＡと回動可能な状態で連結されている。具体的には、第１筐体１ＣＡは、メインディスプレイ２Ｍに直交する軸を回転軸として、相対的に回転するように第３筐体１ＣＣに支持されている。また、第２筐体１ＣＢと第３筐体１ＣＣとは、ヒンジ１８により連結されている。これによって、第１筐体１ＣＡと、第２筐体１ＣＢ（及び第３筐体１ＣＣ）とは、第２筐体１ＣＢと第３筐体１ＣＣとの連結部を中心として、メインディスプレイ２Ｍに直交する軸周り（図１中矢印Ｒ１で示す方向）に回動される。また、第１筐体１ＣＡ（及び第３筐体１ＣＣ）と第２筐体１ＣＢとは、第２筐体１ＣＢと第３筐体１ＣＣとの連結部（つまりヒンジ１８）を中心としてともに回動して、互いに遠ざかる方向及び互いに接近する方向（図２の矢印Ｒ２で示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００２２】
次に、携帯電子機器１の機能と制御部との関係を説明する。図３は、図１に示す携帯電子機器の機能の概略構成を示すブロック図である。図３に示すように携帯電子機器１は、主制御部２２と、記憶部２４と、通信部２６と、操作部２８と、入力データ取得部２９と、音声処理部３０と、表示部３２と、表示制御部３３と、ワンセグ受信部３６と、を有する。
【００２３】
主制御部２２は、携帯電子機器１の全体的な動作を統括的に制御する処理部、例えばＣＰＵ（Central Processing Unit）である。すなわち、携帯電子機器１の各種の処理が、操作部２８の操作や携帯電子機器１の記憶部２４に保存されるソフトウェアに応じて適切な手順で実行されるように、通信部２６、表示部３２、ワンセグ受信部３６等の動作を制御する。主制御部２２は、記憶部２４に保存されているプログラム（例えば、オペレーティングシステムプログラム、アプリケーションプログラム等）に基づいて処理を実行する。記憶部２４には、主制御部２２での処理に利用されるソフトウェアやデータが保存されている。具体的には、ワンセグ受信部３６で受信したデータに基づいてテレビ放送を行うソフトウェアや、文字入力処理を行うソフトウェアや、メールの送受信を行うソフトウェアや、文字変換の際に変換候補の抽出に用いられる辞書データ等が保存されている。
【００２４】
通信部２６は、基地局によって割り当てられるチャネルを介し、基地局との間でＣＤＭＡ方式などによる無線信号回線を確立し、基地局との間で電話通信及び情報通信を行う。
【００２５】
操作部２８は、例えば、電源キー、通話キー、数字キー、文字キー、方向キー、決定キー、発信キーなど、各種の機能が割り当てられた操作キー３と、方向及び決定キー４とで構成され、これらのキーがユーザの操作により入力されると、その操作内容に対応する信号を発生させる。そして、発生した信号は、ユーザの指示として入力データ取得部２９へ入力される。
【００２６】
入力データ取得部２９は、操作部２８から発生した信号と、入力の設定に基づいて、制御信号を生成し、生成した制御信号を主制御部２２に入力する。例えば、文字入力の場合は、操作キー３の各キーの操作回数に基づいて、各キーに割り当てられている文字から１つの文字を抽出し、文字情報として主制御部２２に出力する。本実施形態では、操作キー３は、１５個のキーで構成されており、そのうち１０個のキーに、数字を入力するモードのときに、１から９及び０が入力されるように割り振られている。さらに、数字の１から９が割り振られたキーには、文字を入力するモードのときにそれぞれあ行からら行の文字を入力するように割り振られており、数字の０が割り振られたキーに「わ」、「を」、「ん」を入力するように割り振られている。また、各行が割り振られているキーには、その行の拗音や上述の数字も割り振られている。これらのキーに割り振られた文字は、所定の配列順番が設定されている。具体的には、あ行及び１が割り振られている「１あ」キーは、「あ」、「い」、「う」、「え」、「お」、「ぁ」、「ぃ」、「ぅ」、「ぇ」、「ぉ」、「１」という配列順番が設定されている。また、配列順番は、トグルになっている。つまり、キーに割り当てられた文字は、循環するように設定されており、「１」の次は「あ」となり、その後上記の配列順番が繰り返される設定となっている。また、チャンネル操作の場合は、押下されたキーを検出し、そのキーに対応するチャンネルの情報（放送局の選択情報）を主制御部２２に出力する。つまり操作キーの「１」が押下されたら、「１」に対応するチャンネルの情報を主制御部２２に送る。また、複数回のキーの押下とチャンネルの情報とが対応するように両者を設定してもよい。
【００２７】
また、入力データ取得部２９は、操作キー３の押下を検出し、押下の回数に基づいて配列順番の文字の中で表示させる（選択する）文字を決定する。入力データ取得部２９は、同じ操作キー３が連続して押下された場合、つまり、直前と同じ操作キー３（正確には、操作キー３の中の１つのキー）が押下された場合は、押下回数に基づいて配列順番の中で表示させる文字（入力候補文字）を選択する。また、入力データ取得部２９は、異なる操作キー３が押下された場合、つまり、直前に押下された操作キー３とは異なる操作キー３（正確には、操作キー３の中の１つのキー）が押下された場合は、押下された操作キー３の配列順番が先頭の文字を表示させる。
【００２８】
音声処理部３０は、マイク５に入力される音声信号やレシーバ６から出力される音声信号の処理を実行する。
【００２９】
表示部３２は、液晶ディスプレイ（ＬＣＤ、Liquid Crystal Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００３０】
ワンセグ受信部（ワンセグチューナ）３６は、複数のチャンネルを有する地上デジタル放送、本実施形態では、ワンセグ放送の所定チャンネルの電波を受信するＴＶアンテナを有し、ＴＶアンテナで受信した受信信号を処理し、主制御部２２に送る。一例としては、ワンセグ受信部３６は、同調装置により、ＴＶアンテナで受信した受信信号に増幅、検波、周波数変換などの信号処理を行い、デジタル信号、本実施形態では、ＭＰＥＧ−２  ＴＳ（Transport Stream）に変換して主制御部２２に出力する。出力されたデジタル信号は、主制御部２２で駆動されるアプリケーションプログラムにより、処理され、表示部３２のディスプレイに表示されたり、記憶部２４に記憶されたりする。また、音声は、レシーバや、別途、設けられたスピーカから出力される。
【００３１】
次に、携帯電子機器１の動作、操作部２８に入力される操作と、主制御部２２における処理について説明する。ここで、図４は、携帯電子機器の処理動作の一例を示すフロー図である。なお、図４に示すフロー図は、ワンセグ放送の表示中に操作キーが押下された場合の処理の一例を示すフロー図である。なお、図４に示す例では、ワンセグ放送の各チャンネルには、１桁の数字が割り当てられており、操作キーの１つのボタンを押下することで、チャンネル変更の指示を入力することができる。
【００３２】
まず、操作者により、携帯電子機器１が操作され、ワンセグを起動する指示が入力される。携帯電子機器１の主制御部２２は、ワンセグを起動する指示が入力されたら、ステップＳ１２としてワンセグ起動処理を行う。ワンセグ起動処理とは、記憶部２４からテレビ放送を行うソフトウェアを読み出し、起動させ、ワンセグ受信部３６でテレビ放送の電波を受信し、受信した電波を変換して、画像を表示部３２に表示させ、音声をレシーバ６またはスピーカから出力させる処理である。
【００３３】
主制御部２２は、ステップＳ１２でワンセグ起動処理を行ったら、ステップＳ１４として、キー押下の割り込みが検出されたかを判定する。つまり、操作者により操作部２８が操作されたかを判定する。
【００３４】
主制御部２２は、ステップＳ１４でキー押下の割り込みを検出していない（Ｎｏ）と判定したら、再びステップＳ１４に進み、キー押下の割り込みが検出されたかを判定する。つまり、主制御部２２は、キー押下の割り込みを検出するまで、ワンセグ受信部３６で受信したテレビ放送を出力しながら、ステップＳ１４の処理を繰り返す。
【００３５】
次に、主制御部２２は、ステップＳ１４でキー押下の割り込みを検出した（Ｙｅｓ）と判定したら、ステップＳ１６としてタイマーをＯＮにする。タイマーは、ＯＮとされたら、ＯＮにされてからの時間、つまり、キー押下を検出してからの経過時間を測定する。
【００３６】
主制御部２２は、ステップＳ１６でタイマーをＯＮにしたら、ステップＳ１８として、チャンネル変更処理を開始する。具体的には、主制御部２２は、出力するテレビ放送を、ステップＳ１４で押下されたキーに対応するチャンネルのテレビ放送に切り替える処理を開始する。主制御部２２は、ステップＳ１８でチャンネル変更処理を開始したら、ステップＳ２０として、新規チャンネルデータ受信処理を行う。つまり、主制御部２２は、ステップＳ１８で変更したチャンネルに対応するテレビ放送のデータをワンセグ受信部３６で受信し、出力させる処理を開始する。
【００３７】
主制御部２２は、ステップＳ２０で新規チャンネルデータ（つまり、新規チャンネルのテレビ放送のデータ）の受信処理を開始したら、ステップＳ２２として、一定時間が経過したかを判定する。ここで、一定時間が経過したかは、ステップＳ１６でＯＮにしたタイマーの経過時間が設定された時間になっているかで判定する。主制御部２２は、一定時間経過している（Ｙｅｓ）と判定したら、ステップＳ２３として、チャンネル変更確定処理を行い、その後、ステップＳ４０に進む。ここで、チャンネル変更確定処理とは、ステップＳ２０でデータの受信を開始したチャンネルを、出力するテレビ放送のチャンネルとして確定する処理である。これにより、その後、新たにチャンネル変更処理が入力されるまで、ステップＳ２３で確定したチャンネルのテレビ放送が出力される。制御部２２は、ステップＳ２３の処理が終了したら、ステップＳ４０に進む。
【００３８】
主制御部２２は、ステップＳ２２で一定時間経過していない（Ｎｏ）と判定したら、ステップＳ２４として、キー押下の割り込みが検出されたかを判定する。つまり、ステップＳ１４のキー押下とは異なるキー押下、つまり２度目のキー押下が検出されたかを判定する。
【００３９】
主制御部２２は、ステップＳ２４でキー押下割り込みが検出されていない（Ｎｏ）と判定したら、ステップＳ２２に進む。つまり、主制御部２２は、一定時間経過する前は、キー押下割り込みが検出されるまで、ステップＳ２２とステップＳ２４とを繰り返す。
【００４０】
主制御部２２は、ステップＳ２４でキー押下割り込みが検出された（Ｙｅｓ）と判定したら、ステップＳ３０として、チャンネルを元の表示チャンネルに戻す。つまり、ステップＳ１８でチャンネル変更処理を開始する前に表示していたチャンネルとして該チャンネルのテレビ放送のデータを受信し、該チャンネルのテレビ放送の出力を開始する。ステップＳ１８及びステップＳ２０の処理を停止し、出力するテレビ放送のチャンネルをステップＳ１８の前のチャンネルに戻す。
【００４１】
主制御部２２は、ステップＳ３０でチャンネルを元の表示チャンネルに戻したら、ステップＳ３２として、ワンセグ表示サイズを変更する。つまり、表示部３２に表示させるテレビ放送の画面の領域を小さくする。
【００４２】
主制御部２２は、ステップＳ３２でワンセグ表示サイズを変更したら、ステップＳ３４としてすぐ文字入力画面を起動させる。ここで、すぐ文字入力画面とは、入力された文字情報を表示させる画面であり、テレビ放送の画面と一緒に表示部３２に表示される。
【００４３】
主制御部２２は、ステップＳ３４ですぐ文字入力画面が起動されたら、ステップＳ３６として、キー入力で作成される文字を表示する。具体的には、ステップＳ１４とステップＳ２４で入力されたキー操作に対応する文字を表示させる。
【００４４】
主制御部２２は、ステップＳ３６で文字を表示させたら、ステップＳ３８としてすぐ文字処理を行う。ここで、すぐ文字処理とは、入力されたキー操作に対応した文字を表示させ、さらに変換操作が検出された入力された文字を漢字やカタカナ、記号等に変換する処理である。また、すぐ文字処理は、必要に応じて、スケジュール機能、アドレス帳機能、メモ機能等を起動させて、入力された文字列を各機能に対応する記憶部２４に記憶させる。主制御部２２は、すぐ文字処理が終了したら、ステップＳ４０に進む。
【００４５】
主制御部２２は、ステップＳ２３、または、ステップＳ３８の処理が完了したら、ステップＳ４０として、ワンセグ終了指示があるかを判定する。主制御部２２は、ステップＳ４０で終了指示がない（Ｎｏ）と判定したら、ステップＳ１４に進み、テレビ放送を出力しつつ、上記操作を繰り返す。また、主制御部２２は、ステップＳ４０でワンセグ終了指示あり（Ｙｅｓ）と判定したら、ステップＳ４２としてワンセグ終了させて、処理を終了する。つまり、主制御部２２は、テレビ放送の出力を終了させて、処理を終了する。
【００４６】
以下、図５を用いて、表示部の変化について説明する。ここで、図５は、携帯電子機器の動作を説明するための説明図である。まず、ステップＳ１２でワンセグを起動させると、図５中左端に示すように、設定されたチャンネルのテレビ放送が表示部３２に表示される。この状態から、例えば、操作キー３の「５」を押下すると、ステップＳ１４でキー押下が検出され、ステップＳ１８でチャンネル変更処理が開始される。チャンネル変更処理が開始されると、表示部３２には、図５中中央に示すように、チャンネル変更中であり、異なるチャンネルのテレビ放送データを受信していることを示す「Ｒｅｃｅｉｖｉｎｇ・・・」のメッセージが表示される。
【００４７】
その後、キー押下操作が検出されない状態で一定時間が経過したら、ステップＳ２３でチャンネル変更確定処理が行われ、図５中右上に示すように、切り替えたチャンネル（図５に示す例では、操作キー３の「５」に対応したチャンネル）のテレビ放送が出力される。これに対して、チャンネル切り替え中、つまり一定時間経過する前に、さらにキー押下操作を検出したら、図５中右下に示すように、すぐ文字入力画面が表示される。ここで、図５に示す例では、操作キー３の「５」が押下されるため、操作キー３の「５」を２回押下されたことになり、この操作に対応する「に」が入力画面に表示される。また、このとき、ワンセグの画面（テレビ放送を出力する画面）は、表示が小さくされ、さらに、操作キー３の押下動作前のチャンネルのテレビ放送の画像が表示される。
【００４８】
このように、ワンセグ起動中に、一定時間内に２回以上のキー押下があった場合は、文字入力操作と判定し、文字入力画面を表示させ、文字入力可能にすることで、操作者はテレビ放送の視聴中であっても、簡単な操作で文字入力を行うことができる。これにより、テレビ放送の視聴を行いながら、メモを記入したり、漢字を調べたりすることができる。また、テレビ放送を一旦終了させた後、メモ機能を立ち上げる必要がなくなるため、操作性を高くすることができる。さらに、テレビ放送の内容をメモしやすくすることができる。また、キー押下操作で文字入力操作であるかを判定するようにすることで、文字入力機能を立ち上げるために、特別な入力操作を行う必要がなく、また、操作キーの一部を立ち上げのために割り当てる必要もない。これにより、操作者が特別な操作を記憶する必要がなく、かつ、操作キーの構成を簡単にすることができる。
【００４９】
また、キー押下操作の回数に基づいて、チャンネル変更か、文字入力かを識別することで、１つの操作キーで両方の操作を行うことができる。なお、本実施形態では、一定時間以内に２回のキー押下を検出したら文字入力であると判定したが、基準とする回数は、チャンネル操作の最大入力回数に応じて、設定すればよい。例えば、テレビ放送のチャンネルに二桁の数字を割り当てている場合は、一定時間以内に３回以上のキー押下があった場合は、文字入力と判定し、２回以下の場合はチャンネル操作と判定するようにすればよい。
【００５０】
また、上記実施形態では、ステップＳ１４でキー押下操作を検出したら、チャンネル変更処理を開始したが、これに限定されず、１回目（所定回数）のキー押下を検出してから、キー押下を検出しないで一定時間が経過したら、チャンネル変更処理を開始するようにしてもよい。以下、図６を用いて説明する。ここで、図６は、携帯電子機器の処理動作の他の例を示すフロー図である。なお、図６に示すフロー図は、図４に示すフロー図と同様の処理を行うステップがある。そこで、以下では、図４に示すステップと同様の処理を行うステップには、同一のステップの番号を付し、詳細な説明は省略し、以下、図６に示すフロー図に特有の処理を重点的に説明する。
【００５１】
まず、操作者により、携帯電子機器１が操作され、ワンセグを起動する指示が入力される。携帯電子機器１の主制御部２２は、ワンセグを起動する指示が入力されたら、ステップＳ１２としてワンセグ起動処理を行う。主制御部２２は、ステップＳ１２でワンセグ起動処理を行ったら、ステップＳ１４として、キー押下の割り込みが検出されたかを判定する。主制御部２２は、ステップＳ１４でキー押下の割り込みを検出していない（Ｎｏ）と判定したら、再びステップＳ１４に進み、キー押下の割り込みが検出されたかを判定する。
【００５２】
次に、主制御部２２は、ステップＳ１４でキー押下の割り込みを検出した（Ｙｅｓ）と判定したら、ステップＳ１６としてタイマーをＯＮにする。主制御部２２は、ステップＳ１６でタイマーをＯＮにしたら、ステップＳ２２として、一定時間が経過したかを判定する。
【００５３】
主制御部２２は、一定時間経過している（Ｙｅｓ）と判定したら、ステップＳ５０として、チャンネル変更処理を開始する。具体的には、主制御部２２は、出力するテレビ放送を、ステップＳ１４で押下されたキーに対応するチャンネルのテレビ放送に切り替える処理を開始する。主制御部２２は、ステップＳ５０でチャンネル変更処理を開始したら、ステップＳ５２として、新規チャンネルデータ受信処理を行う。つまり、主制御部２２は、ステップＳ５０で変更したチャンネルに対応するテレビ放送のデータをワンセグ受信部３６で受信し、出力させる処理を開始する。
【００５４】
主制御部２２は、ステップＳ５２で新規チャンネルデータ（つまり、新規チャンネルのテレビ放送のデータ）の受信処理を開始したら、ステップＳ５４として、チャンネル変更確定処理を行い、その後、ステップＳ４０に進む。ここで、チャンネル変更確定処理とは、ステップＳ５２でデータの受信を開始したチャンネルを、出力するテレビ放送のチャンネルとして確定する処理である。これにより、その後、新たにチャンネル変更処理が入力されるまで、ステップＳ５４で確定したチャンネルのテレビ放送が出力される。
【００５５】
主制御部２２は、ステップＳ２２で一定時間経過していない（Ｎｏ）と判定したら、ステップＳ２４として、キー押下の割り込みが検出されたかを判定する。主制御部２２は、ステップＳ２４でキー押下割り込みが検出されていない（Ｎｏ）と判定したら、ステップＳ２２に進む。
【００５６】
また、主制御部２２は、ステップＳ２４でキー押下割り込みが検出された（Ｙｅｓ）と判定したら、ステップＳ３２として、ワンセグ表示サイズを変更する。つまり、表示部３２に表示させるテレビ放送の画面の領域を小さくする。なお、以下、ステップＳ３２から処理終了までの処理は、図４に示すフロー図の処理と同様の処理であるので、説明は省略する。
【００５７】
図６に示すフロー図のように、チャンネル変更動作であることが確定してから、チャンネル変更処理を開始するようにすることで、文字入力操作（すぐ文字処理）である場合に画面を元のチャンネルに戻す必要がなくなる。つまり、図４に示すフロー図のステップＳ３０の処理を行う必要がなくなる。また、文字入力操作の場合に、当該チャンネルのテレビ番組の画面が途切れる時間も短くすることができる。なお、ステップＳ１４でキー押下してから、実際にチャンネルが切り替わるまでの時間は、図４に示すフロー図よりも長くなる。
【００５８】
ここで、上記実施形態では、すぐ文字処理として、文字を入力するものとしたが、さらに、テレビ番組の情報をテキストとして取り込むようにしてもよい。以下、図７から図９を用いて説明する。ここで、図７は、携帯電子機器の処理動作の他の例を示すフロー図である。
【００５９】
まず、主制御部２２は、ステップＳ６０として、すぐ文字処理を起動する。なお、すぐ文字処理の起動は、上述した図４及び図６のステップＳ３８の処理と同様である。主制御部２２は、ステップＳ６０ですぐ文字処理を起動させたら、ステップＳ６２として、ワンセグ受信画面のスキャンを行う。つまり、受信し、画面に表示しているテレビ放送の画像を解析し、画像の情報を取得する。なお、このスキャン（解析）には、種々の画像解析ソフトを用いることができる。なお、画像解析ソフトとしては、少なくとも画像に含まれる文字情報を抽出することができる画像解析ソフトを用いる。
【００６０】
主制御部２２は、ステップＳ６２で画像をスキャンしたら、ステップＳ６４として、スキャンした画像に文字情報があるかを判定する。主制御部２２は、ステップＳ６４で文字情報なし（Ｎｏ）と判定したら、ステップＳ６８に進む。また、主制御部２２は、ステップＳ６４で文字情報あり（Ｙｅｓ）と判定したら、ステップＳ６６として、すぐ文字エディタ（すぐ文字入力画面）にスキャンした文字情報を表示させる。つまり、テレビ画面から抽出した文字情報を入力された文字とし、すぐ文字入力画面に表示させる。
【００６１】
主制御部２２は、ステップＳ６６で文字情報を表示したら、または、ステップＳ６４でＮｏと判定したら、ステップＳ６８として、文字入力があるかを判定する。つまり、操作者によるキー操作により文字が入力されたかを判定する。主制御部２２は、ステップＳ６８で文字入力あり（Ｙｅｓ）と判定したら、ステップＳ７０として、入力された文字を表示させる。つまり、操作者のキー操作により入力された文字をすぐ文字入力画面に表示させる。主制御部２２は、ステップＳ７０で入力された文字を表示させたら、ステップＳ７２に進む。
【００６２】
主制御部２２は、ステップＳ６８で文字入力なし（Ｎｏ）と判定したら、また、ステップＳ７０の処理を終了したら、ステップＳ７２として、すぐ文字処理の終了指示、つまり、文字入力を終了（完了）する旨を検知したかを判定する。主制御部２２は、ステップＳ７２で終了指示を検知していない（Ｎｏ）と判定したら、ステップＳ６８に進み、再び文字入力があるかを判定する。このように主制御部２２は、終了指示を検知するまで、文字入力の処理と、入力された文字の表示の処理を繰り返す。
【００６３】
主制御部２２は、ステップＳ７２で終了指示を検知した（Ｙｅｓ）と判定したら、ステップＳ７４として、入力された文字列ありで終了かを判定する。つまり、ステップＳ６４、ステップＳ６６で画像から抽出した文字列以外に、操作者に入力された文字列があるかを判定する。主制御部２２は、ステップＳ７４で文字列あり（Ｙｅｓ）と判定したら、ステップＳ７６として、選択メニュー項目を表示させる。つまり、すぐ文字入力により入力された文字列を処理するためのメニューを表示させる。具体的には、「メモへの登録」、「スケジュール登録」、「検索」等のメニューが表示される。主制御部２２は、ステップＳ７６でメニューを表示させたら、ステップＳ７８として、メニューの選択を検出する。つまり、主制御部２２は、操作者により入力された、メニューの選択指示を検出する。
【００６４】
主制御部２２は、ステップＳ７８でメニューが選択されたら、また、ステップＳ７４で文字列なし（Ｎｏ）と判定されたら、ステップＳ８０としてメニューを実行する。なお、主制御部２２は、ステップＳ７８でメニューが選択された場合は、選択されたメニューを実行し、ステップＳ７４で文字列なし（Ｎｏ）と判定された場合は、予め設定されたメニューを実行する。例えば、ステップＳ７４で文字列なし（Ｎｏ）と判定された場合は、スケジュール登録を行うようにすればよい。
【００６５】
ここで、「メモへの登録」は、文字列をメモとして登録する処理であり、「スケジュール登録」は、文字列をスケジュールとして登録する処理であり、「検索」とは、文字列を検索条件として検索を行う処理である。また、「スケジュール登録」の場合は、文字列に日時が記入されている場合はその日時のスケジュールとして、日時を抜いた文字列を登録すればよい。なお、メニューの実行は、そのメニュー用の処理画面を表示させるのみで、その後、さらに操作者により操作させるようにしてもよい。主制御部２２は、ステップＳ８０でメニューを実行したら、処理を終了する。
【００６６】
以下、図８を用いて、表示部の変化について説明する。ここで、図８は、携帯電子機器の動作を説明するための説明図である。まず、ワンセグを起動させると、図８中左上に示すように、設定されたチャンネルのテレビ放送が表示部３２に表示される。その後、図８中右上に示すように、表示部３２の画面上にテレビ放送としてテキストを含む画像が表示された状態ですぐ文字処理を起動する。具体的には、操作キー３の「８」を２回入力（押下）する。操作キー３の「８」を２回入力（押下）すると、図８中左下に示すように、画面をスキャンして取得した文字列、本実施例では、「チケット予約○○−×××」が入力された状態ですぐ文字エディタ（入力画面）が起動される。また、操作キー３の「８」の２回の入力に対応する文字である「ゆ」も入力された状態となる。
【００６７】
その後、さらに、操作者が操作キーを操作して文字列を入力すると、図８右下に示すように、「ゆかいバンドチケット予約○○−×××」という文字列が入力された状態となる。入力された文字列は、操作者の操作に基づいて、「メモへの登録」、「スケジュール登録」、「検索」等の処理が行われる。
【００６８】
このように、テレビ放送の画面をスキャンし、画面に表示されている文字情報を取得して、取得した文字情報をすぐ文字入力の文字列とすることで、操作者が入力することなく、テレビ放送で視聴している内容をメモすることができる。これにより、操作者の操作をより簡単にすることができる。
【００６９】
また、すぐ文字入力の文字列が、テレビ放送の画面から取り込んだ文字情報のみの場合は、設定されたメニューを実行するようにすることで、操作性をより高くすることができる。例えば、簡単な操作で、テレビ放送の画面から取り込んだ文字情報を連続的にメモとして記憶することができる。
【００７０】
ここで、上記実施形態では、画面をスキャンして文字情報を取得したが、テレビ放送から文字情報を取得する方法は、これに限定されない。以下、図９を用いて他の例を説明する。ここで、図９は、携帯電子機器の処理動作の他の例を示すフロー図である。なお、図９に示すフロー図は、図７に示すフロー図と同様の処理を行うステップがある。そこで、以下では、図７に示すステップと同様の処理を行うステップには、同一のステップの番号を付し、詳細な説明は省略し、以下、図９に示すフロー図に特有の処理を重点的に説明する。
【００７１】
まず、主制御部２２は、ステップＳ６０として、すぐ文字処理を起動する。主制御部２２は、ステップＳ６０ですぐ文字処理を起動させたら、ステップＳ８２として、ワンセグ受信データのスキャンを行う。つまり、ワンセグ放送（テレビ放送）として受信しているデータをスキャンし、受信データの構成を取得する。ここで、ワンセグ放送では、受信データとして、テレビ放送の画像データ、音声データに加え、番組の情報等を記載した番組情報データも送受信されている。
【００７２】
主制御部２２は、ステップＳ８２で受信データをスキャンしたら、ステップＳ８４として、スキャンしたデータに文字情報があるかを判定する。主制御部２２は、ステップＳ８４で文字情報なし（Ｎｏ）と判定したら、ステップＳ６８に進む。また、主制御部２２は、ステップＳ８４で文字情報あり（Ｙｅｓ）と判定したら、ステップＳ８６として、すぐ文字エディタ（すぐ文字入力画面）にスキャンした文字情報を表示させる。つまり、番組情報データとして受信したデータに含まれた文字情報を入力された文字とし、すぐ文字入力画面に表示させる。
【００７３】
主制御部２２は、ステップＳ８６で文字情報を表示したら、または、ステップＳ８４でＮｏと判定したら、ステップＳ６８として、文字入力があるかを判定する。つまり、操作者によるキー操作により文字が入力されたかを判定する。ここで、ステップＳ６８からステップＳ８０までの処理は、図７に示すフロー図の処理と同様の処理であるので、説明は省略する。
【００７４】
このように、テレビ放送の際に、送信される番組情報データから文字情報を取得することで、画面をスキャンした場合と同様に、操作者が入力することなく、テレビ放送で視聴している内容をメモすることができる。これにより、操作者の操作をより簡単にすることができる。データを直接取り込むことができるため、画像をスキャンする場合よりも正確に文字情報を取得することができる。
【００７５】
次に、図１０及び図１１を用いて、携帯電子機器の処理動作の他の例を説明する。ここで、図１０は、携帯電子機器の処理動作の他の例を示すフロー図であり、図１１は、携帯電子機器の動作を説明するための説明図である。
【００７６】
操作者によりワンセグ起動指示が入力されると、主制御部２２は、ステップＳ１０２として、ワンセグ起動処理を行い、テレビ放送の出力を開始する。主制御部２２は、ステップＳ１０２でテレビ放送の出力を開始した後、ステップＳ１０４として、すぐ文字処理の開始操作を検出したら、ステップＳ１０６として、すぐ文字処理を開始する。ここで、すぐ文字処理の開始操作は、上述したように、一定時間内において一定回数、操作キーが押下される操作である。
【００７７】
主制御部２２は、ステップＳ１０６ですぐ文字処理を開始したら、ステップＳ１０８として、文字入力処理を行う。つまり、操作者による操作キー３の操作を検知し、操作キー３の操作により入力される文字列を作成、表示させる。主制御部２２は、ステップＳ１０８で文字入力処理が行われた後、ステップＳ１１０として文字確定操作を検出したら、ステップＳ１１２として確定文字列のテーブルの検索を行う。つまり、主制御部２２は、ステップＳ１１０で操作者により入力された文字列の確定操作を検出したら、ステップＳ１１２で、テーブルを用いて、確定した文字列に対応した処理動作を検出する。ここで、テーブルには、入力文字列と、対応する処理動作との関係が記憶されている。なお、テーブルは、例えば、文字列「ろくが」と処理動作「テレビ放送の録画」が対応付けられており、文字列「おんりょう」と処理動作「音量制御」とが対応付けられている。また、「メール」と処理動作「メール機能立ち上げ」とが対応付けられている。
【００７８】
主制御部２２は、ステップＳ１１２で確定文字列に基づいてテーブルを検索したら、ステップＳ１１４として、該当機能があるかを判定する。つまり、主制御部２２は、確定文字列とテーブルから、主制御部２２が行う（該当機能）処理動作を検出できたかを判定する。主制御部２２は、ステップＳ１１４で該当機能なし（Ｎｏ）、つまり、確定文字列から処理動作を特定できないと判定したら、ステップＳ１０８に進み、再度文字入力処理を行う。
【００７９】
主制御部２２は、ステップＳ１１４で該当機能あり（Ｙｅｓ）と判定したら、ステップＳ１１６として、該当機能起動処理を行う。主制御部２２は、ステップＳ１１６で該当機能起動処理を行ったら、ステップＳ１１８としてすぐ文字処理終了処理を行い、すぐ文字処理を終了させ、処理を終了する。
【００８０】
以下、図１１を用いて、表示部の変化について説明する。まず、ワンセグを起動させると、図１１中左側に示すように、設定されたチャンネルのテレビ放送が表示部３２に表示される。その後、すぐ文字処理を起動し、図１１中央に示すように、操作者により文字列として「ろくが」が入力され、文字確定操作が行われる。このように、文字確定操作が行われると、「ろくが」に対応する該当機能として、テレビ放送の録画処理が検出され、図１１中右側に示すように、テレビ放送の録画を開始し、「録画を開始しました」というメッセージが表示部３２に表示される。
【００８１】
このように、入力された文字列に基づいて、処理動作を検出し、その処理動作を実行するようにすることで、テレビ放送の視聴中に煩瑣なメニュー操作を行うことなく種々の操作を行うことができる。
【００８２】
なお、上記実施形態では、文字列から該当処理が検出できない場合は、文字入力処理を行うようにしたが、これに限定されず、該当処理が検出できない場合は、入力文字列をメモとして記憶させるようにしてもよい。
【００８３】
また、上記実施形態では、操作者が操作キーを操作することで、文字の入力や、指示の入力を行うようにしたが、入力デバイスはこれに限定されない。例えば、入力デバイスとしてタッチパネルを用いてもよい。以下、図１２及び図１３を用いて、入力デバイスとしてタッチパネルを用いた場合について説明する。ここで、図１２は、携帯電子機器の処理動作の他の例を示すフロー図であり、図１３は、携帯電子機器の動作を説明するための説明図である。なお、本実施形態において、タッチパネルは、メインディスプレイ２Ｍの裏面に配置され、操作者がメインディスプレイ２Ｍをタッチすることを入力として検出する。また、図１２に示すフロー図は、ワンセグ処理を実行し、テレビ放送を出力している状態での処理である。
【００８４】
主制御部２２は、まず、ステップＳ１２０として、タッチパネル操作を検知、つまり操作者によりタッチパネルが操作されたことを検知すると、ステップＳ１２２として文字認識処理を行う。つまり、主制御部２２は、タッチパネルへの入力の軌跡、つまりタッチ位置（接触点）の移動を検出し、その軌跡を文字として認識するための処理を行う。
【００８５】
主制御部２２は、ステップＳ１２２で文字認識処理を行ったら、ステップＳ１２４として、ステップＳ１２２で処理した結果、操作者の入力が認識可能文字であるかを判定する。主制御部２２は、ステップＳ１２４で認識可能文字ではない（Ｎｏ）、つまり、ステップＳ１２０で操作として検出された入力が文字としては認識できないと判定したら、ステップＳ１２６として、他の処理を行う。なお、他の処理としては、種々の処理ができ、例えば、ディスプレイに表示されたボタンへの入力であると判定したら、入力されたボタンに対応する処理を行えばよい。また、何の機能も起動させずテレビ放送の出力継続するようにしてもよい。主制御部２２は、ステップＳ１２６の他の処理を行ったら処理を終了する。
【００８６】
主制御部２２は、ステップＳ１２４で認識可能文字である（Ｙｅｓ）、つまり、タッチパネルから文字が入力されたと判定したら、ステップＳ１２８として、すぐ文字処理を起動させ、ステップＳ１３０として、ステップＳ１２２で認識した認識文字の表示処理を行う。その後、主制御部２２は、ステップＳ１３２としてすぐ文字処理を行い、すぐ文字処理が終了したら、処理を終了する。なお、すぐ文字処理は、タッチパネルから入力された文字を検出し、文字列を作成し、表示させる処理である。また、すぐ文字処理で作成された文字列は、メモやスケジュールとして記憶される。
【００８７】
次に、図１３を用いて、表示部の変化について説明する。まず、ワンセグを起動させると、図１３中左側に示すように、設定されたチャンネルのテレビ放送が表示部３２に表示される。その後、図１３中央に示すように、操作者がメインディスプレイ２Ｍ（タッチパネル）上に指で、「く」の軌跡を描く。このように、操作者によりタッチパネルの操作が行われ、主制御部２２により入力が検知されると、すぐ文字処理が起動され、図１３中右側に示すように、入力文字を表示させる欄に「く」が表示される。その後、さらに、操作者がメインディスプレイ２Ｍ（タッチパネル）上に文字を書くことで、書かれた文字が入力文字を表示させる欄に表示される。なお、この時、テレビ放送の画面も表示されている。
【００８８】
このように、入力デバイスとしてタッチパネルを用いた場合でも、文字の入力を検出したら文字入力機能を起動させ入力された文字を表示させることで、テレビ放送の表示中であっても、入力デバイスに文字を描くことで、文字入力可能となる。これにより、操作者は、テレビ放送を一旦停止させたりすることなく、文字入力が可能となり、簡単な操作で文字入力を行うことができる。また、テレビ放送を視聴した状態で、文字入力を開始することができる。
【００８９】
なお、本実施形態では、文字が検出されたら、すぐ文字処理を開始するようにしたが、これに限定されず、図４及び図６に示すフロー図と同様に、入力がチャンネル変更の指示であるか文字入力であるかを判定し、文字入力であることを検知してからすぐ文字処理を開始するようにしてもよい。例えば、入力された文字が数字だった場合は、その後の入力を待機し、チャンネルの桁数を越えた入力があった場合は、すぐ文字処理を開始するようにしてもよい。これにより、チャンネルの変更も文字の入力も特別な操作をすることなく実行することができる。
【００９０】
なお、上記実施形態では、説明の簡略化のために、各例を個別に説明したが、それぞれの実施形態の処理を組み合わせてもよいことは言うまでもない。例えば、図４の処理ですぐ文字処理を起動させたら、図７及び図９の処理を行うようにしてもよい。また、図７及び図９の処理は、設定により選択可能とすることが好ましい。これにより、画面、またはデータから文字列の抽出が不要な場合は、抽出を行わないようにすることができる。
【産業上の利用可能性】
【００９１】
以上のように、本発明にかかる入力装置、文字入力装置及び入力方法は、テレビ放送を表示する機能と文字入力機能を有する装置、方法に用いることに有用である。
【符号の説明】
【００９２】
１  携帯電子機器
１Ｃ  筐体
１ＣＡ  第１筐体
１ＣＢ  第２筐体
１ＣＣ  第３筐体
２Ｍ  メインディスプレイ
３  操作キー
４  方向及び決定キー
５  マイク
６  レシーバ
１８  ヒンジ
２２  主制御部（ＣＰＵ）
２４  記憶部（メモリ）
２６  通信部
２８  操作部
２９  入力データ取得部
３０  音声処理部
３２  表示部
３３  表示制御部
３６  ワンセグ受信部
【図１】
0005586893.tif 000002
【図２】
0005586893.tif 000003
【図３】
0005586893.tif 000004
【図４】
0005586893.tif 000005
【図５】
0005586893.tif 000006
【図６】
0005586893.tif 000007
【図７】
0005586893.tif 000008
【図８】
0005586893.tif 000009
【図９】
0005586893.tif 000010
【図１０】
0005586893.tif 000011
【図１１】
0005586893.tif 000012
【図１２】
0005586893.tif 000013
【図１３】
0005586893.tif 000014